(57)【要約】【課題】テスタ本体からリード線を介して引き出された他側プローブをその不使用時にリード線ともどもテスタ本体の側にコンパクトに、かつ、確実に収納保持させておくことができる携帯用テスタの提供。【解決手段】測定用の一側プローブ２８を備えるテスタ本体１２と、該テスタ本体１２らリード線３０を介して引き出された測定用の他側プローブ３１とからなる携帯用テスタ１１において、テスタ本体１２の一側面１３の長さ方向に並列に設けられる適宜長さの一対の保持片１４，１４のそれぞれは、相互の外側面１８，１８側を介してのリード線３０の巻付け保持と、相互の内側面１９，１９側を介しての他側プローブ３１の挟持とを自在とした、適宜座高の縦片部１５とその開放端側から外方に張り出させた庇片部２５とで形成した。【選択図】図１
2004020362.tif 000002
【特許請求の範囲】
【請求項１】
測定用の一側プローブを備えるテスタ本体と、該テスタ本体からリード線を介して引き出された測定用の他側プローブとからなる携帯用テスタにおいて、
前記テスタ本体の一側面の長さ方向に並列に設けられる適宜長さの一対の保持片のそれぞれは、相互の外側面側を介しての前記リード線の巻付け保持と、相互の内側面側を介しての前記他側プローブの挟持とを自在とした、適宜座高の縦片部とその開放端側から外方に張り出させた庇片部とで形成したことを特徴とする携帯用テスタ。
【請求項２】
これら一対の保持片のそれぞれの前記縦片部の外側面には、その長さ方向での略中央部位が最奥となって初回巻き付け時の前記リード線を奥端へと導入するためのガイド面を備える凹部を設け、二巻き目以降の前記リード線が位置する部位のテスタ本体の前記一側面と前記庇片部の内側面との間の間隔を前記リード線の外径の２倍の長さよりもやや長くした請求項１に記載の携帯用テスタ。
【請求項３】
これら一対の保持片の少なくともいずれか一方は、テスタ本体の前記一側面の長さ方向での相互を分断して離間配置した請求項１または２に記載の携帯用テスタ。
【請求項４】
前記他側プローブには、その周方向に鍔部を設け、一対の前記保持片には、前記他側プローブを挟持する際の対応部位に前記鍔部と嵌合する縦溝部を設けた請求項１ないし３のいずれかに記載の携帯用テスタ。
【発明の詳細な説明】
【０００１】
【発明の属する技術分野】
本発明は、測定用の一側プローブを備えるテスタ本体と、該テスタ本体からリード線を介して引き出された測定用の他側プローブとからなる携帯用テスタに関する技術である。
【０００２】
【従来の技術】
図４は、従来からある携帯用テスタの一例を示す説明図であり、測定用の一側プローブ４を先端部から突出させたテスタ本体２と、該テスタ本体２からリード線５を介して引き出された測定用の他側プローブ６とで携帯用テスタ１の全体が構成されている。
【０００３】
この場合、テスタ本体２は、他側プローブ６がその基端部に備える突起部７との係合が自在な保持部３を基端部に備えており、不使用時には、該保持部３に突起部７を係合保持させることにより、他側プローブ６と一体化して携行したり保管したりしておくことができるようになっている。
【０００４】
【発明が解決しようとする課題】
しかし、従来からある携帯用テスタ１による場合には、テスタ本体２と他側プローブ６とをその不使用時に一体化することはできるものの、リード線５自体はそのままの状態となっていることから、不使用時の仕舞い勝手が悪いという不都合があった。
【０００５】
また、このようにリード線５が放置された状態にあると、何かに引っ掛かかって引っ張られ、せっかく一体化してある他側プローブ６をテスタ本体２側から離脱させてしまう不具合もあった。
【０００６】
さらに、テスタ本体２に他側プローブ６を一体化させた際には、図４に示されているように他側プローブ６が外部に完全露出した状態となり、コンパクト化の要請のみならず、より好ましい安全性を確保する観点からも余り露出させないように改良する余地を残すものであった。
【０００７】
本発明は、上記従来技術の課題に鑑み、テスタ本体からリード線を介して引き出された他側プローブをその不使用時にリード線ともどもテスタ本体の側にコンパクトに、かつ、確実に収納保持させておくことができる携帯用テスタの提供を目的とする。
【０００８】
【課題を解決するための手段】
上記課題を解決するため、本発明は、測定用の一側プローブを備えるテスタ本体と、該テスタ本体からリード線を介して引き出された測定用の他側プローブとからなる携帯用テスタにおいて、前記テスタ本体の一側面の長さ方向に並列に設けられる適宜長さの一対の保持片のそれぞれは、相互の外側面側を介しての前記リード線の巻付け保持と、相互の内側面側を介しての前記他側プローブの挟持とを自在とした、適宜座高の縦片部とその開放端側から外方に張り出させた庇片部とで形成したことに特徴がある。
【０００９】
この場合、これら一対の保持片のそれぞれの前記縦片部の外側面には、その長さ方向での略中央部位が最奥となって初回巻き付け時の前記リード線を奥端へと導入するためのガイド面を備える凹部を設け、二巻き目以降の前記リード線が位置する部位のテスタ本体の前記一側面と前記庇片部の内側面との間の間隔を前記リード線の外径の２倍の長さよりもやや長くしておくのが好ましい。
【００１０】
また、これら一対の保持片の少なくともいずれか一方は、テスタ本体の前記一側面の長さ方向での相互を分断して離間配置しておくこともできる。さらに、前記他側プローブには、その周方向に鍔部を設け、一対の前記保持片には、前記他側プローブを挟持する際の対応部位に前記鍔部と嵌合する縦溝部を設けておくこともできる。
【００１１】
【発明の実施の形態】
図１は、本発明の一例を一部を省略して示す使用状態時における全体斜視図であり、図２（ａ）は同平面図を、図２（ｂ）は不使用時における平面図をそれぞれ示す。
【００１２】
これらの図によれば、携帯用テスタ１１は、測定用の一側プローブ２７をその先端部２６備えてなるテスタ本体１２と、該テスタ本体１２の後端部２９側に接続されたリード線３０を介して引き出された測定用の他側プローブ３１とでその全体が形成されている。
【００１３】
このうち、テスタ本体１２の一側面１３には、図２（ｂ）に示すようにその長さ方向に並列状態となって相互の外側面１８，１８側を介してのリード線３０の巻付け保持と、相互の内側面１９，１９側を介しての他側プローブ３１の挟持とが自在に形成された一対の保持片１４，１４が付設されている。なお、図中の符号３５は、測定操作時に手指の位置を規制する隆起部を示し、該隆起部３５により一側プローブ２７に誤って手指が触れるのを防止することができる。
【００１４】
これを図１に即してより詳しく説明すれば、一対の保持片１４，１４のそれぞれは、テスタ本体１２の一側面１３の長さ方向に沿わせて設けられた適宜座高の縦片部１５と、該縦片部１５の開放端側から外方に張り出させた庇片部２４とで縦断面が一対の翼状となって形成されている。
【００１５】
この場合、一対の縦片部１５，１５は、それぞれの前端部側と後端部側とに位置する庇片部２５との間に切欠部１６，１７が設けられており、これらの切欠部１６，１７を介してリード線３０の巻き付けを円滑に行うことができるようになっている。
【００１６】
また、一対の保持片１４，１４の内側面１９，１９相互間には、他側プローブ３１の外径との関係で定まる挟持幅の空間部２４が確保されており、該空間部２４を介して他側プローブ３１を埋め込むように導入してこれを挟持することができるようになっている。
【００１７】
しかも、図示例によれば、一対の保持片１４，１４は、テスタ本体１２の先端部２７側に位置させた一対の前側保持片部１４ａ，１４ａの組合せと、後端部２９側に位置させた一対の後側保持片部１４ｂ，１４ｂの組合せとに二分されて分断された状態となって離間配置されている。なお、一対の保持片１４，１４は、図示は省略してあるがテスタ本体１２の一側面１３の長さ方向での略全長にわたり分割せずに一体に並列配置したり、三分割以上に分断して各別に離間配置したり、一方を一体とし、他方を分断して配置しておくものであってもよい。また、図示例のように一対の保持片１４，１４をテスタ本体１２の先端部２７側に位置させた一対の前側保持片部１４ａ，１４ａと後端部２９側に位置させた一対の後側保持片部１４ｂ，１４ｂとで形成する場合、テスタ本体１２の一側面１３における後端部２９のセンター位置からリード線３０を引き出すときには、これに対応させて一対の後側保持片部１４ｂ，１４ｂを図示例のよう非対称とせずに、対称となる形状を付与して形成することもできる。
【００１８】
さらに、一対の保持片１４，１４は、空間部２４内での他側プローブ３１の挟持力を高めるために、それぞれの内側面１９側の適宜位置に設けられた突起２３のほか、その接触端側に誤って手指が触れるのを防止するために他側プローブ３１の周方向に設けた鍔部３２との対応関係のもとで、該他側プローブ３１を挟持する際に鍔部３２との嵌合が自在な縦溝部２２，２２を有して形成されている。
【００１９】
図３は、一対の保持片１４，１４におけるリード線３０が巻き付けられる部位の構造例を（ａ）〜（ｄ）としてパターン別に要部を拡大して示す説明図である。
【００２０】
このうちの（ａ）は、一対の保持片１４，１４のそれぞれの縦片部１５が、テスタ本体１２の一側面１３と庇片部２５の内側面２６との間にリード線３０の外径の２倍の長さよりもやや長くなる間隔が確保できる高さの垂直な外側面１８を備えて形成されている場合を示す。
【００２１】
また、その（ｂ）は、一対の保持片１４，１４のそれぞれの縦片部１５の外側面１８にその長さ方向での略中央部位が最奥となって初回巻き付け時のリード線３０を奥端２０ａへと導入するための傾斜したガイド面２１を備える凹部２０を設け、二巻き目以降のリード線３０が位置する部位のテスタ本体１２の一側面１３と庇片部２５の内側面２６との間の間隔をリード線３０の外径の２倍の長さよりもやや長くして形成した場合を、（ｃ）は、ガイド面２１を湾曲させて形成し、他は（ｂ）と同様にして形成した場合をそれぞれ示す。
【００２２】
さらに、（ｄ）は、（ｃ）に示す例をより長いリード線３０に対応させるために庇片部２５を長くして形成した例を示すものであり、このパターン例は、当然のことながら（ａ）と（ｂ）とに示すパターンにも適用することができる。
【００２３】
次に、このような構成からなる本発明の作用・効果を説明すれば、その使用時にいては、図１と図２（ａ）とからも明らかなように、一方の被測定部位にはテスタ本体が１２備える一側プローブ２８を、他方の被測定部位にはリード線３０を介して引き出されている他側プローブ３１をそれぞれ接触させて必要な測定作業を遂行することができる。
【００２４】
測定作業を終えた後は、テスタ本体１２がその一側面１３に備える一対の保持片１４，１４に対し、その外側からリード線３０を巻き付けることにより、図２（ｂ）に示すように庇片部２５でその抜脱が阻止された状態のもとでそれぞれの縦片部１５の外側面１８を介して確実に保持され、かつ、他側プローブ３１も一対の保持片１４，１４相互間に確保された空間部２４を介して埋め込むようにして挟持させることができる。
【００２５】
その際におけるリード線３０の巻き付け手順は、図３（ａ）〜（ｄ）として示す保持片１４における縦片部１５の外側面１８の構造により異なったものとなるので、以下にパターン別に説明する。なお、リード線３０内に付されている数字は、その巻き順を示したものである。
【００２６】
図３（ａ）に示すパターンの場合には、１回目と２回目とを縦片部１５の垂直な外側面１８に沿わせてその上下に巻き付け、３回目を１回目と２回目との境界部に位置させて巻き付けることにより行われている。
【００２７】
図３（ｂ）に示すパターンの場合には、１回目が縦片部１５の傾斜させたガイド面２１に案内されてその奥端２０ａに導入されて巻き付けられた後、２回目と３回目とが１回目を中心位置においてその上下方向に巻き付けることにより行われている。
【００２８】
図３（ｃ）に示すパターンの場合には、１回目が縦片部１５の湾曲させたガイド面２１に案内されてその奥端２０ａに導入されて巻き付けられた後、２回目と３回目とが１回目を中心位置においてその上下方向に巻き付けることにより行われている。なお、図３（ｄ）は、図３（ｃ）に示す巻き付けパターンを６回目まで繰り返し行った場合を示す。
【００２９】
これら図３（ａ）〜（ｄ）に示すパターンによれば、そのいずれの場合においても、巻き数に応じた巻付け位置をあらかじめ把握しておくことができるので、一対の保持片１４，１４にリード線３０を巻き付けた後に他側プローブ２８が空間部２４内に納めた際、余分の長さが生じないようにリード線３０の長さを設定することができることになる。特に、縦片部１５の外側面１８に凹部２０を設けてある場合には、巻き数に応じた巻付け位置をより確実に把握しておくことができる。
【００３０】
しかも、一対の保持片１４，１４は、図１に示すように一対の前側保持片部１４ａ，１４ａの組合せと、後端部２９側に位置させた一対の後側保持片部１４ｂ，１４ｂの組合せとに二分されて分断された状態となって離間配置されているので、分断せずに一体形成されている場合に比較して空間部２４内からの他側プローブ３１の取り出しもより円滑に行うことができる。
【００３１】
さらに、他側プローブ２８がその周方向に鍔部３２を備え、一対の保持片１４，１４がその空間部２４内で他側プローブ３１を挟持する際の対応部位に鍔部３２と嵌合する縦溝部２２を備えている場合には、その保持状態をより確実なものとすることができる。さらにまた、一対の保持片１４，１４がその内側面１９に突起２３を備えている場合には、他側プローブ３１をより強い挟持力のもとで空間部２４内に保持させておくことができる。
【００３２】
【発明の効果】
以上述べたように本発明によれば、テスタ本体からリード線を介して引き出された他側プローブをその不使用時にリード線ともどもテスタ本体の側にコンパクトに、かつ、確実に収納保持させておくことができるので、これを携行したり保管しておく際の省スペース化を実現することができる。
【００３３】
しかも、テスタ本体に他側プローブを一体化させた際には、他側プローブが不必要に外部に露出することがなくなり、コンパクト化の要請を満たすことができるばかりでなく、より好ましい安全性をも確保するすることができる。
【図面の簡単な説明】
【図１】本発明の一例を一部を省略して示す使用状態時における全体斜視図。
【図２】図１に示す例を平面方向からみた状態説明図であり、そのうちの（ａ）は使用時の状態を、（ｂ）は不使用時の状態をそれぞれ示す。
【図３】本発明においてリード線が巻き付けられる部位の保持片の構造例を巻付け手順とともに（ａ）〜（ｄ）としてパターン別に示す説明図。
【図４】従来からある携帯用テスタの一例を示す説明図。
【符号の説明】
１１　回携帯用テスタ
１２　テスタ本体
１３　一側面
１４　保持片
１４ａ　前側保持片部
１４ｂ　後側保持片部
１５　縦片部
１６，１７　切欠部
１８　外側面
１９　内側面
２０　凹部
２０ａ　奥端
２１　ガイド面
２２　縦溝部
２３　突起
２４　空間部
２５　庇片部
２６　内側面
２７　先端部
２８　一側プローブ
２９　後端部
３０　リード線
３２　鍔部
３５　隆起部
【図１】
2004020362.tif 000003
【図２】
2004020362.tif 000004
【図３】
2004020362.tif 000005
【図４】
2004020362.tif 000006